(57)【特許請求の範囲】
【請求項１】
衣服の少なくとも内面を人体の各経絡の補瀉に相当する色で人体の皮膚表面を色分けした人体表色地図に則して色分けし、境界部分には各色の補完的作用を有するアイボリーホワイト色を施してなる人体表色地図を用いた衣服。
【発明の詳細な説明】
【０００１】
【産業上の利用分野】
本発明は、東洋医学における経絡理論に則って創製された人体表色地図に基づいて、疼痛性疾患など各種疾患の患部位置に対応した青、赤、黄、白、黒の各色を、相応する経絡位置上に適宜選定配置してなる新規な衣服に関する。
【０００２】
【従来の技術】
生命の根源である気・血・栄・衛が全身をめぐる運行路である経絡に着目し、病体をこの経絡の変動として統一的に観察しながら、その病変を経絡の虚実として捉えて、圧痛のある経穴を診断・治療の場として鍼灸術によって補瀉調整する随証療法を経絡治療という。古典によれば、各経絡にはそれぞれ関連のある色があり、人体表上の皮膚はその経絡の色に従って色分けされ得ることが記載されている。
【０００３】
そこで、色分けされた人体表上の皮膚がそれぞれの色に反応する、つまり、色が人体の刺激材料として利用できることを発見した本発明者は、先に各経絡の色を基本として各経絡の補瀉に相当する色で人体の皮膚表面を色分けした人体表色地図を創製するとともに、これを利用した治療方法を特開平８−５７０１４号（特許第２７５００８８号）において提案した。すなわち、この人体表色地図にしたがって、各種疾患の患者において圧痛のある場所が前記人体表色地図のどこに相当するかを調べ、その色を圧痛のある場所へ貼付ないし接触させると、大部分の圧痛部位において鎮痛が得られ、治療効果が認められるのである。
【０００４】
このことからは、日常生活においてその内面が絶えず人体表上の皮膚に接触した状態にある下着をはじめ、運動選手のユニフォーム、局所的に使用されるサポーターなどに対して、前記人体表色地図に基づきながら、各種疾患の患部位置に対応した青、赤、黄、白、黒の各色を相応する経絡位置上に適宜選定配置しておけば、こうした衣服を着用しておくだけで、患者は特段の労力を必要とすることなく恒常的に各種疾患の治療が行え、あるいは予防に役立つであろうことが考えられる。
【０００５】
【発明が解決しようとする課題】
そこで、本発明者は恒常的に各種疾患の治療ないし予防を行なうことのできる衣服への応用を検討したが、身長や体重をはじめ胸囲やウエストサイズなどの各人の体型の相違に由来して、人体における各部位の位置関係は千差万別であり、個体差が著しい。そのため、前記人体表色地図に基づいて、仮にいわゆる標準体形に適合させた下着等の衣服を製作したとしても、そのまま着用できる人は極めて限られてしまう。その一方、各人の体形を細かく採寸してオーダーメイド的に衣服を製作するならば、当然ながらコスト高を招来する不都合がある。
【０００６】
また、各人の体形に適合した衣服を提供しても、衣服がある程度身体の動きに添うものでなければ、せっかく選定配置した色が相応する経絡位置上からずれてしまう。衣服の着用者が、その経絡位置に適合していないまま着用していたのでは、期待した治療・予防効果が得られないのみならず、かえって逆効果を招き、体調を損なってしまうおそれすら考えられる。
【０００７】
したがって、人体表色地図に基づいて着色した衣服においては、着用中においても相応する経絡位置上に適宜選定配置した色の位置がずれにくいことが望まれるし、ずれても効果が得られる手段の確立が望まれる。
【０００８】
【課題を解決するための手段】
上記課題を検討した結果、本発明者は、まず、先に提案した人体表色地図を用いて、衣服の少なくとも内面を人体の各経絡の補瀉に相当する人体表色地図に則して色分けすることにより、各種疾患の治療ないし予防を可能とする衣服としての課題解決を図った。ここにいう「衣服の少なくとも内面を」とは、衣服の外面の色にかかわらず、少なくとも皮膚へ直接接触する衣服の内面側が人体表色地図に則した色分けがなされていればよいことをいう。衣服はファッション性を重んじるので、外観を変化させてもよいし、また、衣服の生地や形状を特に制限するものでもない。
【０００９】
また、本発明者は、アイボリーホワイト色が各色の補完的作用を有することを新たに発見し、この発見に基づいて前記人体表色地図に則して色分けした境界部分にアイボリーホワイト色を施すことにより、着用者の体型の相違や着用時のズレを吸収できる衣服としての課題を解決したのである。すなわち、前記人体表色地図に示されるとおり、各種疾患の患部位置および経穴ないし経絡に対応して色分けされた青、赤、黄、白、黒の各色こそが各部位において最も効果的な刺激を与えるものではあるが、本発明者が発見・確認したところによると、アイボリーホワイト色はこれら各色のいずれをも補って、ある程度好ましい刺激を与えうるので、各色の境界部分にアイボリーホワイト色を施しておけば、相応する経絡位置上からずれても効果が損なわれないのである。なお、アイボリーホワイト色が各色の補完的作用を有することの確認は、前記特開平８−５７０１４号でも紹介したオーリングテスト（Ｏ−ＲｉｎｇＴｅｓｔ）によった。
【００１０】
ここで、本発明における衣服とは、パンツ、ショーツ、シャツ、ガードル等の下着をはじめ、靴下やストッキング、手袋、帽子といった日用衣料、水着、水泳帽、タイツ、レオタードといったスポーツ衣料、スピードスケートや競輪選手等の特殊ユニフォーム、局所的に使用されるサポーターや女性の生理用品等を広範に含むものである。
【００１１】
【発明の実施の形態】
以下、本発明を図面に従って説明する。
図１は、請求項１に係る第１の発明の衣服において、人体右半身の背面側における内面（皮膚への接触面）に配置した色の模式図である。この例では、帽子１と、下着たる半袖シャツ２、手袋３、および七分パンツ４について、皮膚への接触面となる内面側を人体の各経絡の補瀉に相当する人体表色地図に則して色分けをしている。
【００１２】
すなわち、前記特開平８−５７０１４号において提案した図３〜図１７に示される人体表色地図は、人体の皮膚表面を各経絡の色を基本とした各経絡の補瀉に相当する色で、青（ＢＵ）、赤（ＲＤ）、黄（ＹＷ）、白（ＷＴ）、黒（ＢＫ）の五色にそれぞれ色分けしたものであって、色分けの縦境界の大部分は十四経の経絡や陰陽の境であり、色分けの横境界の大部分は中手指節関節や中足趾節関節における中枢側と末梢側の境、肘関節や膝関節における中枢側と末梢側の境、頭・頚・胸・腹・上肢・下肢の６体部の境及び陰陽の境としている。したがって、図１に示される例の帽子１、半袖シャツ２、手袋３および七分パンツ４は、図９に示される人体表色地図を利用し、この色分けに則しながら少なくとも衣服が皮膚に接触する内面側を色分けすることによって形成したものであり、他の種類の衣服を形成する場合も同様に、前記人体表色地図に則して内面を色分けすればよいわけである。
【００１３】
図２は、請求項２に係る衣服において、図１と同様に、人体右半身の背面側における内面（皮膚への接触面）に配置した色の模式図である。この例では、帽子１、および長袖シャツと七分パンツを一体化した、人体に密着しうる特殊ユニフォーム５につき、皮膚への接触面となる内面側を前記人体表色地図に則して色分けした境界部分において、別途アイボリーホワイト（ＩＷ）色を施している。。このように、五色のいずれをも補完しうるアイボリーホワイト色を各色の境界部分に施すことによって、選定配置した色が相応する経絡位置上からずれても、衣服着用者の経絡位置に適合しないといった不具合が除かれて、期待している治療・予防効果が得られることとなったのである。
【００１４】
なお、各色の境界部分に施すアイボリーホワイト色は、あくまで各種疾患の患部位置および経穴ないし経絡に対応した青、赤、黄、白、黒の各色を補完するものであるから、できるだけ細幅にとどめておくのが望ましい。具体的には、衣服の種類や部位に応じて、衣服生地等の移動量や着用者毎の各色の重要度等を勘案しながらその幅を決定することになる。
【００１５】
【発明の効果】
本発明に係る衣服は、着用しておくだけで特段の労力を必要とすることなく恒常的に疼痛性疾患をはじめ各種疾患の治療が行え、またその予防にも役立つ。とくに人体表色地図に則した五色の境界部分において各色を補完しうるアイボリーホワイト色を施した衣服では、着用者の個人差に応じてオーダーメイド的に衣服を製作しなくても、安価に大量生産できる既製品として製作するだけで充分な治療・予防効果を得ることができる。
【図面の簡単な説明】
【図１】第１の発明の衣服において、人体右半身の背面側における内面に配置した色の模式図である。
【図２】第２の発明の衣服において、人体右半身の背面側における内面に配置した色の模式図である。
【図３】人体表色地図の全身正面図である。
【図４】人体表色地図の全身背面図である。
【図５】人体表色地図の頭頚部正面図である。
【図６】人体表色地図の頭頚部背面図である。
【図７】人体表色地図の頭頚部斜視図である。
【図８】人体表色地図の上半身正面図である。
【図９】人体表色地図の上半身背面図である。
【図１０】人体表色地図の上半身斜視図である。
【図１１】人体表色地図の下半身正面図である。
【図１２】人体表色地図の下半身背面図である。
【図１３】人体表色地図の下半身斜視図である。
【図１４】人体表色地図の足部正面図である。
【図１５】人体表色地図の足部背面図である。
【図１６】人体表色地図の足部斜視図である。
【図１７】人体表色地図の会陰部正面図である。
【符号の説明】
１  帽子
２  半袖シャツ
３  手袋
４  七分パンツ
５  特殊ユニフォーム
【図１】
0003547313.tif 000002
【図２】
0003547313.tif 000003
【図３】
0003547313.tif 000004
【図４】
0003547313.tif 000005
【図５】
0003547313.tif 000006
【図６】
0003547313.tif 000007
【図７】
0003547313.tif 000008
【図８】
0003547313.tif 000009
【図９】
0003547313.tif 000010
【図１０】
0003547313.tif 000011
【図１１】
0003547313.tif 000012
【図１２】
0003547313.tif 000013
【図１３】
0003547313.tif 000014
【図１４】
0003547313.tif 000015
【図１５】
0003547313.tif 000016
【図１６】
0003547313.tif 000017
【図１７】
0003547313.tif 000018